(57)【要約】      （修正有）【課題】浮力を容易に微調整できる釣りの浮きを提供する。【解決手段】上部浮力体１０、下部重力体２０、防水弾力リング３０、防水弾力チューブ３１、ネジ付シャフト４１、及び調整ナット５０から構成され、上部浮力体１０及び下部重力体２０は、相対する平坦面の間に防水弾力リング３０を介挿して密封された空気室を形成し、下部重力体２０の軸心を貫通する貫通孔２２を設けてネジ付シャフト４１の一端を上部浮力体１０に固定すると共に貫通孔２２を挿通して他端のネジ部を貫通孔開口から突出し、防水弾力チューブ３１により、上記空気室のネジ付シャフト４１を挿通して下部重力体２０の貫通孔２２をシールし、調整ナット５０は、下部重力体２０の開口から突出したネジ部に螺合して、調整ナット５０の回転操作により、下部重力体２０と上部浮力体１０との間隔を変えて、空気室の容積を変えることによって、浮きの浮力微調整を可能とした。【選択図】図１
2019195313.tif 000002
【特許請求の範囲】
【請求項１】
上部浮力体、下部重力体、防水弾力リング、防水弾力チューブ、中空ネジ付シャフト或いはネジ付シャフト、及び調整ナットから構成され、
上記上部浮力体及び下部重力体は、相対して浮きを構成すると共にその相対する面を平坦面として、その間に上記防水弾力リングを介挿して密封された空気室を形成し、
上記下部重力体は、その軸心を貫通する貫通孔を設け、
上記中空ネジ付シャフト或いはネジ付シャフトは、その一端を上部浮力体に固定すると共に下部重力体の貫通孔を挿通して他端のネジ部を該貫通孔開口から突出し、
上記防水弾力チューブは、上記空気室の中空ネジ付シャフト或いはネジ付シャフトを挿通して該下部重力体の貫通孔をシールし、
上記調整ナットは、該下部重力体の貫通孔開口から突出した中空ネジ付シャフト或いはネジ付シャフトのネジ部に螺合し、
該調整ナットの回転操作により、該下部重力体と上部浮力体との間隔を変えて、空気室の容積を変えることによって、浮きの浮力調整を可能としたことを特徴とする、
浮力微調整浮き。
【請求項２】
前記防水弾力リングの上下周縁部には凹型又は段差状の噛み合わせ溝を設けると共に
前記上部浮力体及び下部重力体の相対する外周縁にはそれぞれこの噛み合わせ溝と噛合う上部防水突起リング及び下部防水突起リングを形成したことにより前記空気室を密閉することを特徴とする請求項１記載の浮力微調整浮き。
【請求項３】
前記下部重力体の前記貫通孔の開口部周囲には開口から放射状に目盛を表示し、
前記調整ナットの外周には滑り防止形状を形成して調整ナットを回して浮力を調整する際の滑り止めとすると共に、下部重力体の上記目盛に向けた矢印を設けて浮力を調整するための目安とすることを特徴とする請求項１又は２記載の浮力微調整浮き。
【発明の詳細な説明】
【技術分野】
【０００１】
本発明は、釣りに用いる浮きの構造に関し、細かい浮力調整が可能であって、撒き餌の沈降速度と同調して仕掛けを沈降することが出来る浮きに関する。
【背景技術】
【０００２】
通常海岸から浮き釣りを行う時には、撒き餌を撒いて魚を集める。その撒餌の中に仕掛けの付餌を紛らせて共に沈降させる事で、魚の警戒心を薄れさせて釣果を得る事を多くの釣り人が求めている。
【０００３】
このため、浮きの下方の仕掛けの先端に有る釣針に装着している釣餌が、撒餌と同調して沈降するようにするため多様な方法が試みられている。
浮きの浮力を調整して撒き餌の沈降具合と同調することを実現する方法は、大方、浮きの「重量を変える」或いは「体積を変える」ことによっている。現在、浮の体積を変えて浮力の調整が出来る浮きは沢山あるが、何れの浮も調整量の見積もりは概念的で、付餌と撒餌を同調させるには熟練者でも時間と操作の煩瑣な手間が伴う。
【先行技術文献】
【特許文献】
【０００４】
【特許文献１】特開平１１−４６４４号公報
【特許文献２】特開２００３−９２９６１号公報
【特許文献３】特開２０１３−２２０１００号公報
【発明の概要】
【発明が解決しようとする課題】
【０００５】
本発明の目的は、従来の浮きの体積で浮力を調整する方式では精度の高い微調整が出来なかった事に因んで提案するものであって、従来の浮きでは調整量の見積もりが困難であった浮力の微調整を容易に行うことができる浮き構造を提供する。
【課題を解決するための手段】
【０００６】
本発明の浮力微調整浮きは、上部浮力体、下部重力体、防水弾力リング、防水弾力チューブ、中空ネジ付シャフト或いはネジ付シャフト、及び調整ナットから構成され、
上記上部浮力体及び下部重力体は、相対して浮きを構成すると共にその相対する面を平坦面として、その間に上記防水弾力リングを介挿して密封された空気室を形成し、
上記下部重力体は、その軸心を貫通する貫通孔を設け、
上記中空ネジ付シャフト或いはネジ付シャフトはその一端を上部浮力体に固定すると共に下部重力体の貫通孔を挿通して他端のネジ部を該貫通孔開口から突出し、
上記防水弾力チューブは、上記空気室の中空ネジ付シャフト或いはネジ付シャフトを挿通して該下部重力体の貫通孔をシールし、
上記調整ナットは、該下部重力体の貫通孔開口から突出した上記ネジ部に螺合して、該調整ナットの回転操作により、該下部重力体と上部浮力体との間隔を変えて、空気室の容積を変えることによって、浮きの浮力調整を可能としたことを特徴とする浮力微調整浮き、である。
【０００７】
また、上記構成において、
防水弾力リングの上下周縁部には凹型又は段差状の噛み合わせ溝を設けると共に
上部浮力体及び下部重力体の相対する外周縁にはそれぞれこの噛み合わせ溝と噛合う上部防水突起リング及び下部防水突起リングを形成したことにより前記空気室を密閉する。
【０００８】
さらに、前記下部重力体の前記貫通孔の開口部周囲には開口から放射状に目盛を表示し、
前記調整ナットの外周には滑り防止形状を形成して調整ナットを回して浮力を調整する際の滑り止めとすると共に、下部重力体の目盛に向けた矢印を設けて浮力を調整するための目安とする。
【発明の効果】
【０００９】
調整ナットを回転操作して下部重力体を介して防水弾力リングを圧縮変形させて上部浮力体と下部重力体の間の間隔を変えることによって空気室の容積を変えて浮力を調整するため、調整ナットの回転操作により浮の浮力調整が無段階に、且つ高い精度で微調整が可能であり、現場の状況に応じて撒き餌と同調した仕掛けの沈降速度調整が容易にできる。
【図面の簡単な説明】
【００１０】
【図１】図１は、本発明の浮きの分解図。
【図２】図２は、本発明の浮きの斜視図。
【図３】図３は、本発明の浮きの組立断面図。
【図４】図４は、本発明の浮きの側面模式図。
【図５】図５は、本発明の浮きの実施例1を示す。
【図６】図６は、本発明の浮きの実施例２を示す。
【発明を実施するための形態】
【００１１】
以下に、図面を参照して本発明の具体的な構成を説明する。
【実施例１】
【００１２】
本発明の実施例を第１〜３図に示す。
上部浮力体１０、下部重力体２０、防水弾力リング３０、防水弾力チューブ３１、ネジ付シャフト４１及び調整ナット５０から構成され、
上部浮力体１０及び下部重力体２０の相対する面はほぼ平坦面としその外周縁にはそれぞれ上部防水突起リング１１及び下部防水突起リング２１が形成され、また、防水弾力リング３０の上下周縁にはこれらと噛合う噛み合わせ溝３３、３３を設け、該下部重力体の軸心には貫通孔２２が設けられ、その貫通孔２２の開口部周囲には開口から放射状に目盛２３を表示する。
【００１３】
上記部材から浮きを組み立てて構成するには、
上部浮力体１０の平坦面中心に上記ネジ付シャフト４１を挿通して固定し、該ネジ付シャフト４１に防水弾力リング３０、及び防水弾力チューブ３１を挿通し、ネジ付シャフト４１を下部重力体の軸心を通る貫通孔に挿通してその先端に設けたネジ部４２を該下部重力体２０底端の貫通孔２２の開口から突出させて上記調整ナット５０を該ネジ部４２に螺合する。
【００１４】
このように組み立てられた状態で、図３に示すように上部浮力体１０と下部重力体２０との間に防水弾力リング３０を挟んで中空の空気室３２が形成される。
防水弾力リング３０の上下周縁部には凹型又は段差状の噛み合わせ溝３３が設けられており、それぞれ上部浮力体１０の上部防水突起リング１１及び下部重力体２０の下部防水突起リング２１に噛み合う事により、上部浮力体１０と下部重力体２０の間に形成される空気室３２を密封する。
防水弾力チューブ３１の材質は、無吸水性の弾力材からなり、下部重力体の貫通孔２２に対する防水シールと弾力性の役目を果たす。
【００１５】
空気室３２は、上部浮力体１０と下部重力体２０との間の空間を防水弾力リング３０と防水弾力チューブ３１の防水作用によって、外部から水が浸入しないように密封された空間を形成して、浮きに調整可能な浮力を付与する役目を果たす。
【００１６】
中空ネジ付シャフト４０（図６参照）、或いはネジ付シャフト４１の一端は上部浮力体１０に取付固定されていて、他端は防水弾力チューブ３１を挿通して、下部重力体２０の貫通孔２２を通り抜けてその開口からそのネジ部４２を突出する。
【００１７】
調整ナット５０は、ネジ穴５１で中空ネジ付シャフト４０（図６参照）或いはネジ付シャフト４１の先端の下部重力体２０の貫通孔の開口から突出したネジ部４２に螺合する。
また、調整ナット５０の外周には微細な溝などからなる滑り防止形状５２を形成して調整ナット５０を回転操作して浮力を調整する際の滑り止めとすると共に、下部重力体２０のメモリ２３に向けた矢印５３が刻印などにより設けられ、下部重力体２０のメモリ２３に合わせて浮力を調整するための目安とする。
【００１８】
以上の構成において、浮き自体の比重により僅かな浮力を持たせて水中を漂うホバリング可能な状態としておいて、調整ナット５０を回転操作して締めていくと上部浮力体１０と下部重力体２０の間隔が狭められて防水弾力リング３０を圧縮して空気室３２の容積が縮小し、浮全体の体積を小さくする事で、比重が重く成り沈む。また、相対的に調整ナット５０を緩める事により全体の体積が増え浮力を増して浮き上がるようになる。
【００１９】
なお、下部重力体２０は、上部浮力体１０と組み合わされて浮きを構成するため、水中で上部浮力体が上方に来るように錘を仕込むなどして一定の重さを付与するが、調整ナット５０などのその他の構成により、浮きの姿勢が適切に保たれるのであれば、或いは浮き自体が水中で漂うホバリング状態で使用される場合などには、下部重力体２０として上部浮力体１０と同様の比重の材質からなる浮力体として構わない。
【００２０】
以上の浮力微調整浮きの働きを、第４図に示す実施例の模式図において説明する。
第４図において、上部浮力体１０と下部重力体２０を半球体とし、調整ナット５０を円柱と仮定して計算理論する。
第４図に示す標記寸法で、体積の変化に依る比重と浮力の相対関係の計算を行うと：
上部浮力体１０の体積  ＝  ４／３πｒ３×１／２  ＝  ８．５７９ｃｍ３，
下部重力体２０の体積  ＝  ４／３πｒ３×１／２＝８．５７９ｃｍ３，
防水弾力リング３０の体積  ＝  πｒ２×Ｌ＝４．０２１ｃｍ３，
調整ナット５０の体積  ＝  πｒ２×Ｌ＝０．７４１ｃｍ３，
浮き全体の体積  ＝８．５７９＋８．５７９＋４．０２１＋０．７４１＝２１．６５０ ｃｍ３，
水の比重が１．０の場合で中性浮力（ホバリング）に成る重量＝２１．６５０ｇ，
防水弾力リング３０の幅５ｍｍを４ｍｍに圧縮した場合の体積減少量は：
４．０２１×１／５＝０．８０４ ｃｍ３，
浮きを圧縮後の体積＝２１．６５０−０．８０４＝２０．８４６ ｃｍ３，
圧縮後の比重＝物体の質量（重量）／体積＝２１．６５０／２０．８４６＝１．０３９，
即ち、防水弾力リング３０を１ｍｍ圧縮する事で、１．０００〜１．０３９比重変化を求める事が出来る。
【００２１】
通常海水の比重を１．０２４として、例え陸地から真水が流れ込んで海水が薄められて比重が軽く成ったとしても、調整範囲内で浮の微浮力から微沈降の浮力調整が出来る。
【００２２】
浮きの空気室３２を圧縮する事で防水弾力リング３０の体積分が、若干外側へとはみ出して誤差が生じる事になるが、実際に釣りを行う時は計算では無く、目視で判断して浮力調整を行う。
また、本発明の浮きの実施においては、ユーザーの好みに合わせて浮きの種類をサイズで大、中、小等と分け、浮力では大浮力、微浮力、マイナス浮力等に分ける必要がある。
従って、浮き本体の浮力分類は決められた錘５４を埋め込んで予め調整しておけばよい。
【００２３】
本発明の浮きの使用方法として、外掛け式で使用する場合を第５図で説明する。
ネジ付シャフト４１の先端に有る通し穴４２にフック４３を通し、更にそのフック４３に釣り糸ガイド４４の一端の輪を掛け、他端の輪に釣り糸６０を通す。（其の他の仕掛けに付いては説明を省略）。この方法によれば、釣り場の状況変化に応じて素早く適した浮きに交換する事が出来る。
【実施例２】
【００２４】
第６図は、中通し浮きとしての使用法を示す。
図に示すように中空ネジ付シャフト４０の中空部分に釣り糸を通して使用する。この中通し式浮きの長所としては、仕掛けが浮きに絡みにくい事が挙げられる。
【符号の説明】
【００２５】
10  上部浮力体              
11  上部防水突起リング   
20  下部重力体           
21  下部防水突起リング  
22  貫通穴                 
23  メモリ
30  防水弾力リング         
31  防水弾力チューブ
32  空気室                  
33  噛み合わせ溝
40  中空ネジ付シャフト      
41  ネジ付シャフト      
42  通し穴                  
43  フック                  
44  釣り糸ガイド            
45  サルカン                  
50  調整ナット             
51  ネジ穴
52  滑り防止形状           
53  矢印
54  錘
60  釣り糸 
【図１】
2019195313.tif 000003
【図２】
2019195313.tif 000004
【図３】
2019195313.tif 000005
【図４】
2019195313.tif 000006
【図５】
2019195313.tif 000007
【図６】
2019195313.tif 000008